(57)【特許請求の範囲】
【請求項１】
外部からの信号を入力する入力端子と、
前記入力端子に接続された切替手段と、
ハウリングの発生を防止するハウリング防止装置と、
前記ハウリング防止装置の出力側に接続されるとともに、前記切替手段が第１の状態に切り替えられたときに、前記入力端子と接続されるマスター・バスと、
前記ハウリング防止装置の入力側に接続されるとともに、前記切替手段が第２の状態に切り替えられたときに、前記入力端子と接続されるハウリング・バスと、
前記マスター・バスの信号を出力する出力手段と
を有するミキサー。
【請求項２】
請求項１に記載のミキサーにおいて、
前記入力端子の入力レベルを設定する入力レベル設定手段を備え、
前記入力レベル設定手段によって設定された入力レベルに対応して、前記第１の状態あるいは前記第２の状態に前記切替手段を切り替える
ものであるミキサー。
【発明の詳細な説明】
【０００１】
【発明の属する技術分野】
本発明は、ミキサーに関し、さらに詳細には、ハウリングの発生を防止することのできるミキサーに関する。
【０００２】
【従来の技術】
一般に、ミキサーの入力端子にマイクや楽器（シンセサイザやエレキ・ギターなど）を接続して当該ミキサーにマイク信号やライン信号を入力し、当該ミキサーにより当該マイク信号ならびに当該ライン信号をミキシングして音声信号としてパワー・アンプに出力し、当該パワー・アンプにより当該音声信号を増幅してスピーカーへ出力し、当該スピーカーにより当該音声信号に基づいて音声や楽音を空間に放音する場合などにおいて、マイク信号のレベルを上げすぎるとハウリングが発生することが知られている。
【０００３】
従来、こうしたハウリングの発生を防止するためには、所謂、ハウリング防止装置が用いられてきた。
【０００４】
このハウリング防止装置とは、例えば、ハウリングの発生する周波数成分を減衰させる処理を行ってハウリングの発生を防止したり、あるいは、ハウリングが発生する周波数がマイクとスピーカーとの距離で決定されるため、電気的にマイクとスピーカーとの距離を変化させる処理を行ってハウリングの発生を防止したりするものである。
【０００５】
ところで、上記したように、ハウリング防止装置はハウリングの発生する周波数成分を減衰させる処理等を行っているために、ハウリング防止装置を通過した音声信号は、ハウリング防止装置を通過する前の音声信号と比較するとその音質が変化してしまうこととなっていた。
【０００６】
ここで、ハウリングとは、マイクを使用した場合にのみ発生するものであり、ライン入力によって発生することはない。
【０００７】
ところが、ハウリング防止装置を搭載した従来のミキサーにおいては、全チャンネルのマイク信号ならびにライン信号をミキシングした音声信号がハウリング防止装置を通過するような回路構成とされていた。
【０００８】
このため、ハウリングの発生しないライン信号もハウリング防止装置を通過することになり、ライン信号の音質が変化してしまうという問題点があった。
【０００９】
【発明が解決しようとする課題】
本発明は、上記したような従来の技術の有する問題点に鑑みてなされたものであり、その目的とするところは、ライン信号の音質を変化することがないようにしたハウリング防止装置を搭載したミキサーを提供しようとするものである。
【００１０】
【課題を解決するための手段】
上記目的を達成するために、本発明のうち請求項１に記載の発明は、外部からの信号を入力する入力端子と、上記入力端子に接続された切替手段と、ハウリングの発生を防止するハウリング防止装置と、上記ハウリング防止装置の出力側に接続されるとともに、上記切替手段が第１の状態に切り替えられたときに、上記入力端子と接続されるマスター・バスと、上記ハウリング防止装置の入力側に接続されるとともに、上記切替手段が第２の状態に切り替えられたときに、上記入力端子と接続されるハウリング・バスと、 上記マスター・バスの信号を出力する出力手段とを有するようにしたものである。
【００１１】
従って、本発明のうち請求項１に記載の発明によれば、入力端子にライン信号が入力された場合には、当該ライン信号がハウリング防止装置を通過することがないようにすることができるので、入力端子に入力されたライン信号の音質がハウリング防止装置により変化されることはない。
【００１２】
ここで、上記切替手段における上記第１の状態と上記第２の状態との切り替えは、例えば、本発明のうち請求項２に記載の発明のように、上記入力端子の入力レベルを設定する入力レベル設定手段を備え、上記入力レベル設定手段によって設定された入力レベルに対応して、上記第１の状態あるいは上記第２の状態に上記切替手段を切り替えるようにしてもよい。
【００１３】
【発明の実施の形態】
以下、添付の図面を参照しながら、本発明によるミキサーの実施の形態の一例を詳細に説明する。
【００１４】
図１には、本発明によるミキサーの実施の形態の一例を示すブロック構成図が示されている。
【００１５】
このミキサーは、入力端子１〜入力端子ＮまでのＮ個（Ｎは正の整数）の入力端子と、これらＮ個の入力端子にそれぞれ対応して接続された増幅器１〜増幅器ＮまでのＮ個の増幅器と、これらＮ個の増幅器にそれぞれ対応して接続されたチャンネル・フェーダー１〜チャンネル・フェーダーＮまでのＮ個のチャンネル・フェーダーと、これらＮ個のチャンネル・フェーダーにそれぞれ対応して接続された切替スイッチ１〜切替スイッチＮまでのＮ個の切替スイッチと、マスター・バス１０を介してこれらＮ個の切替スイッチと接続された加算器１２と、この加算器１２に接続されたマスター・フェーダー１４と、マスター・フェーダー１４に接続されたマスター増幅器１６と、マスター増幅器１６に接続された出力端子１８と、ミキシング・バス（以下、「ハウリング・バス」と称する。）２０を介してその入力側にＮ個の切替スイッチが接続されるとともに、マスター・バス１０を介してその出力側に加算器１２が接続されるハウリング防止装置２２とを有している。
【００１６】
即ち、このミキサーにおいては、ハウリング防止装置２２の入力側に接続されるハウリング・バス２０を備えていて、ハウリング防止装置２２の出力信号はマスター・バス１０にミキシングされることになる。
【００１７】
また、切替スイッチ１〜切替スイッチＮは、それぞれ接点Ａと接点Ｂとを備えており、切替スイッチ１〜切替スイッチＮはそれぞれ独立して接点Ａと接点Ｂとの切り替えを行うことができるようになされている。そして、切替スイッチ１〜切替スイッチＮが接点Ａに切り替えられた場合には、切替スイッチ１〜切替スイッチＮを介してチャンネル・フェーダー１〜チャンネル・フェーダーＮとマスター・バス１０とが接続される。一方、切替スイッチ１〜切替スイッチＮが接点Ｂに切り替えられた場合には、切替スイッチ１〜切替スイッチＮを介してチャンネル・フェーダー１〜チャンネル・フェーダーＮとハウリング・バス２０とが接続される。
【００１８】
以上の構成において、図１に示すように、入力端子１にライン信号を入力し、入力端子２にマイク信号を入力し、入力端子Ｎにライン信号を入力するものとし、切替スイッチ１を接点Ａに切り替え、切替スイッチ２を接点Ｂに切り替え、切替スイッチＮを接点Ａに切り替えたとする。
【００１９】
この場合には、入力端子１に入力されたライン信号は、チャンネル・フェーダー１を通過した後に、切替スイッチ１を介してマスター・バス１０へ送られて、マスター・バス１０から加算器１２へと出力される。
【００２０】
従って、入力端子１に入力されたライン信号はハウリング防止装置２２を通過することはないので、入力端子１に入力されたライン信号の音質がハウリング防止装置２２により変化されることはない。
【００２１】
同様に、入力端子Ｎに入力されたライン信号は、チャンネル・フェーダーＮを通過した後に、切替スイッチＮを介してマスター・バス１０へ送られて、マスター・バス１０から加算器１２へと出力される。
【００２２】
従って、入力端子Ｎに入力されたライン信号はハウリング防止装置２２を通過することはないので、入力端子Ｎに入力されたライン信号の音質がハウリング防止装置２２により変化されることはない。
【００２３】
一方、入力端子２に入力されたマイク信号は、チャンネル・フェーダー２を通過した後に、切替スイッチ２を介してハウリング・バス２０へ送られて、ハウリング・バス２０からハウリング防止装置２２へ入力される。そして、ハウリング防止装置２２へ入力されたマイク信号は、ハウリング防止装置２２においてハウリング防止のための処理が行われた後にマスター・バス１０へ送られて、マスター・バス１０から加算器１２へ出力される。
【００２４】
従って、入力端子２に入力されたマイク信号はハウリング防止装置２２を通過することになるので、マイク入力によるハウリングの発生を防止することができる。
【００２５】
ここで、切替スイッチ１〜切替スイッチＮにおける接点Ａと接点Ｂとの切り替え操作は、例えば、図２に示すように、操作パネル１００に切替スイッチ１〜切替スイッチＮにそれぞれ対応させて接点Ａの選択ボタン１０２と接点Ｂの選択ボタン１０４とを設け、これら接点Ａの選択ボタン１０２と接点Ｂの選択ボタン１０４との操作により切替スイッチ１〜切替スイッチＮを手動で任意に操作可能に構成し、接点Ａと接点Ｂとを操作者が手動により適宜切り替えるようにしてもよい。
【００２６】
また、一般的に、ミキサーには、パッド・スイッチと呼ばれる入力端子の入力感度を設定するレベル設定手段が設けられている。
【００２７】
そして、入力信号としてレベルの大きなライン信号が入力される場合には、入力端子の入力感度を小さくし、また、入力信号としてレベルの小さなマイク信号が入力される場合には、入力端子の入力感度を上げるように、パッド・スイッチ（レベル設定手段）で設定している。
【００２８】
そこで、パッド・スイッチ（レベル設定手段）の設定レベルが入力感度を小さく設定した場合には、ライン信号の入力信号であるのでハウリング防止装置２２を介在させないようにし、また、パッド・スイッチ（レベル設定手段）の設定レベルが入力感度を高く設定した場合には、マイク信号の入力信号であるのハウリング防止装置２２を介在させるように、パッド・スイッチ（レベル設定手段）に切替スイッチを連動させて自動的に切り替えるようにしたものを図３に示す。
【００２９】
図３において、パッド・スイッチ３０１〜パッド・スイッチ３０Ｎは、増幅器１〜増幅器Ｎの入力感度を設定するもので、公知の技術である。
【００３０】
パッド・スイッチ３０１〜パッド・スイッチ３０Ｎは、さらに、切替スイッチ１〜切替スイッチＮも連動して切り替えられるように構成され、入力感度を低く設定する場合には接点Ａに接続するようにし、また、入力感度を高く設定する場合には接点Ｂに接続するように構成されている。
【００３１】
【発明の効果】
本発明は、以上説明したように構成されているので、ライン信号の音質を変化することがないようにしたハウリング装置を搭載したミキサーを提供することができるという優れた効果を奏する。
【図面の簡単な説明】
【図１】本発明によるミキサーの実施の形態の一例を示すブロック構成図である。
【図２】切替スイッチ１〜切替スイッチＮにそれぞれ対応させて接点Ａの選択ボタンと接点Ｂの選択ボタンとを設けた操作パネルの要部概略説明図である。
【図３】切替スイッチ１〜切替スイッチＮにおける接点Ａと接点Ｂとの切り替え操作を、入力端子１〜入力端子Ｎに入力される信号の種類に応じて自動的に切り替える場合の構成例を示すブロック構成図である。
【符号の説明】
１０        マスター・バス
１２        加算器
１４        マスター・フェーダー
１６        マスター増幅器
１８        出力端子
２０        ハウリング・バス
２２        ハウリング防止装置
１００        操作パネル
１０２        接点Ａの選択ボタン
１０４        接点Ｂの選択ボタン
２００        検出手段
２０２        制御手段
【図１】
0004028056.tif 000002
【図２】
0004028056.tif 000003
【図３】
0004028056.tif 000004